【事件の表示】
　特願２０００−２６２５８６号「ティッシュペーパーの引き出し口」拒絶査定不服審判事件〔平成１４年３月８日出願公開、特開２００２−６８３３３号〕について、次のとおり審決する。
【結　論】
　本件審判の請求は、成り立たない。
【理　由】
１．手続の経緯・本願発明
　本願は、平成１２年８月３１日の出願であって、その請求項１ないし３に係る発明は、平成１７年８月４日付けで補正された明細書及び図面の記載からみて、その特許請求の範囲の請求項１ないし３に記載された事項によりそれぞれ特定されるものと認められるところ、請求項１は次のとおりのものである。
「収納空間に配置されたティッシュペーパーを引き出すための引き出し口であって、
　該引き出し口は、先端に複数の爪をすき間を隔てて複数本配列した片持ち支持になる一対の孫の手状弾性部材を備え、
　該一対の孫の手状弾性部材を、互いに間隔をおいて先端同士で向かい合わせに配設してなる、ことを特徴とするティッシュペーパーの引き出し口。」
　
２．引用文献
　原査定の拒絶の理由に引用された、本願出願前に頒布された刊行物である特開平８−１０４３７７号公報（以下、「引用文献１」という。）及び実願昭５３−１１５４４７号（実開昭５５−３２１４８号）のマイクロフィルム（以下、「引用文献２」という。）に記載された発明について検討する。
（１）引用発明１
　引用文献１には、ウエットティッシュの取り出し口について、以下の事項が図面とともに記載されている。
（ａ）「容器本体、蓋体および前記容器本体に収容され液体を含浸したウエットティッシュペーパーからなるウエットティッシュ供給キットであり、該蓋体は１枚ずつウエットティッシュペーパーを取り出す取り出し抵抗部およびこれを緊密に覆う開閉蓋を有し、前記ウエットティッシュペーパーはその各紙葉が順次重なりを有して折り畳まれており、かつその紙面が垂直になるように前記容器本体に装填されていることを特徴とするウエットティッシュ供給キット。」（【特許請求の範囲】【請求項１】）
（ｂ）「図１は本発明のウエットティッシュ供給キットの一具体例を示す斜視図、図２はそのＡ−Ａ線断面図である。本発明のウエットティッシュ供給キット１は、液体を含浸したウエットティッシュ２を収容する容器本体３およびこの容器本体３の上部に緊密に取り付けられた蓋体４からなり、」（段落番号【００１２】前段）
（ｃ）「蓋体４のほぼ中央部に形成された凹部５には、ウエットティッシュの取り出し口となる取り出し抵抗部６が設けられる。」（段落番号【００１３】前段）
（ｄ）「図３(ａ)〜(ｆ)は、前記取り出し抵抗部６の種々の具体的な形状を示す平面図である。図３(ａ)、(ｂ)、(ｄ)および(ｆ)では、取り出し口の中央に向けて１対または２対以上の柔軟な抵抗突起１０が各々対向して設けられる。この抵抗突起はウエットティッシュの取り出し抵抗となり１枚のウエットティッシュに重なって出てきた次のウエットティッシュ１枚を保持する。」（段落番号【００１４】）
（ｅ）図３（ａ）及び（ｆ）には、それぞれ、４対及び２対の抵抗突起１０を有し、それらの突起が隣接する突起間にすき間を隔てて片持ち状に支持され、対になる突起の先端が間隔をおいて向かい合わせに配設されてなる、抵抗部６が示されており、該（ａ）（ｆ）に図示された抵抗部６は、「複数本の抵抗突起をすき間を隔てて複数本配列した片持ち支持になる一対の突起群を備え、該一対の突起群を互いに間隔を置いて先端同士で向かい合わせに配設した状態を呈している。
　
　以上の記載から引用文献１には次の発明（以下「引用発明１」という。）が記載されているものと認められる。
「容器本体に収容されたウエットティッシュを取り出すための取り出し口であって、該取り出し口は、先端に複数の抵抗突起をすき間を隔てて複数本配列した片持ち支持になる一対の抵抗部を備え、該突起群を、互いに間隔をおいて先端同士で向かい合わせに配設したウエットティッシュの取り出し口。」
　
（２）引用発明２
　引用文献２には、おしぼり等の紙布引出容器について、図面とともに次のように記載されている。
「第４図は紙布の引き出しが終った状態を示すものであり、キャップＢで密封されると扉の屋根状の所は下方に押され、材質の弾力によって扉の先縁は下方に下がって互に相接することになる。・・・中略・・・紙布を引出すにはキャップＢを外し、残留紙布Ｄをつまんで引き出すと、第２図または第３図の状態となり、扉５、６の先端縁で形成するスリットから所用量の紙布を引出すことができ、第６図に示すように突起縁１０、１０が強く紙布を挟持することになり、例えば紙布に所定の長さ毎にミシン目を入れておけばそのミシン目から切れると同時に次回の引き出しが可能になる。」（明細書第３頁１０行〜第４頁１０行）
　また、各図には、容器本体上面に設けられる紙布引出装置として、一対の片持ち状の扉を備えたものが図示されており、この扉にはその先端縁から鈎状に内方に屈曲した突起縁が設けられており、一対の扉の先端縁で形成するスリットから紙布を引き出す際、突起縁が紙を挟持すること、そして、この扉はバネのようにその先縁が上下することが示されている。　
　したがって、引用文献２には次の発明（以下「引用発明２」という。）が記載されているものと認められる。
「容器に収容されたおしぼり等を引き出すための紙布引出装置において、先端に鍵状に内方に屈曲した突起縁を設けた一対の弾性部材を片持ち状に設け、その屈曲した突起縁で引き出される紙布に抵抗を与えるとともに紙布を挟持するようにした紙布引出容器。」
　
３．対比
　本願の請求項１に係る発明（以下「本願発明」という。）と引用発明１とを対比する。
　引用発明１の「ウエットティッシュ」は、本願発明の「ティッシュペーパー」に含まれるものであり、容器本体に収容されているので、本願発明のティッシュペーパーと同様に収納空間に配置されており、これを取り出すための「取り出し口」は、本願発明における、ティッシュペーパーを引き出すための「引き出し口」に相当する。
　また、引用発明１の「抵抗部」は、容器から取り出されるウエットティッシュの取り出し抵抗となり、次のウエットティッシュを保持するものであり、その「複数の抵抗突起」は、本願発明の「孫の手状弾性部材」の先端の「爪」に相当するから、引用発明１の「先端に複数の抵抗突起をすき間を隔てて複数本配列した片持ち支持になる一対の抵抗部」と本願発明の「先端に複数の爪をすき間を隔てて複数本配列した片持ち支持になる一対の孫の手状弾性部材」とは、「先端に複数の爪をすき間を隔てて複数本配列した片持ち支持になる一対の部材」の限りで一致する。
　したがって、両者の一致点及び相違点は次のとおりである。
【一致点】
　収納空間に配置されたティッシュペーパーを引き出すための引き出し口であって、該引き出し口は、先端に複数の爪をすき間を隔てて複数本配列した片持ち支持になる一対の部材を備え、該一対の部材を、互いに間隔をおいて先端同士で向かい合わせに配設してなるティッシュペーパーの引き出し口。
【相違点】
　先端に複数の爪をすき間を隔てて複数本配列した片持ち支持になる一対の部材が、本願発明においては「孫の手状弾性部材」であるのに対し、引用発明１においては、「一対の突起群を備えた抵抗部」である点。
　　
４．判断
　そこで上記の相違点について検討する。
　引用発明１の抵抗部は、その柔軟な抵抗突起がウエットティッシュの取り出し抵抗となり、次のウエットティッシュを保持するという引用文献１に記載された機能（上記摘示記載（ｄ）参照）から、弾性を有する部材と解すべきものであることは当業者が当然に推認し得る事項である。
　そこで、本願発明の「孫の手状」と特定された形状についてさらに検討する。
　本願明細書には「孫の手状」について、具体的に説明されていないが、添付された各図面には、配列した爪の先端部分が、下方、すなわち、容器の内方に向かって屈曲しており、ティッシュペーパーの引き出し時に、上方に変形した爪の先端部分が相互に近接して引き出されるティッシュペーパーに与える抵抗を増大し、次のティッシュペーパーを保持する態様が示されている。
　一方、前述したとおり、引用発明２には、先端に鍵状に内方に屈曲した突起縁を設けた一対の弾性部材を片持ち状に設け、その屈曲した突起縁で引き出される紙布に抵抗を与えるとともに紙を挟持することが示されている。
　引用発明２の「おしぼり等の紙布」は、引用発明１の「ウエットティッシュ」と同等の物品であり、このような物品を容器から引き出すための装置である点で両者は共通しているから、引用発明２を引用発明１に適用して、抵抗突起を鍵状に内方に屈曲した突起縁を設けたものとすることは、当業者が容易に想到し得る事項である。
　そして、その際、全体の形状を孫の手状にすることにより、引き出し口に求められる機能の観点からみて、引用発明１、引用発明２から予想もできないような効果が奏されるとする技術的根拠も見いだせないから、この点は当業者が設計上適宜なし得る程度の単なる形状の選定にすぎないものというべきである。
　したがって、本願発明は、引用発明１及び引用発明２に基づいて当業者が容易に発明をすることができたものであり、特許法第２９条第２項の規定により、特許を受けることができないものである。
　
５．むすび
　以上のとおり、本願発明は、引用発明１及び引用発明２に基づいて当業者が容易に発明をすることができたものであり、特許法第２９条第２項の規定により特許を受けることができないものであるから、他の請求項に係る発明について検討するまでもなく、本願は拒絶すべきものである。
　よって、結論のとおり審決する。